(57)【特許請求の範囲】
【請求項１】
画像共有サーバから、前記画像共有サーバが有する画像データに対応する縮小画像データを取得する画像データ取得手段と、
前記縮小画像データの示す縮小画像を一定時間表示する表示手段と、
前記画像データを蓄積可能な蓄積手段と、
前記画像データを蓄積手段に蓄積するか否かを判断する予め設定された判断条件に基づいて、前記縮小画像データを解析し、
蓄積すると判断した場合は、前記画像データ取得手段に前記縮小画像データに対応する前記画像データを取得させて前記蓄積手段に蓄積し、
蓄積しないと判断した場合は、前記表示手段が前記縮小画像を表示後に、前記縮小画像データを削除する制御手段と、
を備える、
ことを特徴とする画像記録装置。
【請求項２】
前記判断条件は、
前記画像共有サーバに前記画像データをアップロードしたアップロード者を特定する情報、前記画像データを生成した者を特定する情報、前記画像データに含まれる人物を特定する情報、前記画像データが生成された日時を特定する情報、前記画像データが生成された場所を特定する情報、前記画像データの撮影状況を特定する情報、前記画像データに含まれるランドマークを特定する情報、のうち、少なくとも一つを含む、
ことを特徴とする請求項１に記載の画像記録装置。
【請求項３】
前記縮小画像データの画素数は、
前記表示手段の画素数と同等または少ない、
ことを特徴とする請求項１または２に記載の画像記録装置。
【発明の詳細な説明】
【技術分野】
【０００１】
本発明は画像記録装置に関し、特に、ネットワーク接続が可能な画像記録装置に関する。
【背景技術】
【０００２】
特許文献１では、外部からのアクセス者に応じて画像の分類を行うデジタルスチルカメラを開示する。ここで、デジタルスチルカメラは、外部からのアクセス者を特定し、アクセス者が画像に写っているか否かを基に、デジタルスチルカメラが管理する画像を分類する。
【０００３】
これにより、アクセス者に応じて画像の分類を行うことができる。
【０００４】
特許文献２では、特定の画像を選択してダウンロードし、画像の保存を行うビデオカメラを開示する。ここで、ビデオカメラは、サーバにアクセスしてアルバム選択を行い、サムネイル表示をさせて、特定の画像のみをダウンロードして保存する。
【０００５】
これにより、ビデオカメラは、指定した画像のみの保存を行うことができる。
【先行技術文献】
【特許文献】
【０００６】
【特許文献１】特開２００７−１２８３３２号公報
【特許文献２】特開２００３−１５２９４８号公報
【発明の概要】
【発明が解決しようとする課題】
【０００７】
しかしながら、特許文献１に記載のデジタルスチルカメラは、すでに分類済みの特定画像のみしか選択できず、特許文献２に記載のビデオカメラは、特定の画像を手動操作にて選択保存する必要がある。
【０００８】
本発明は、画像共有サーバからダウンロードした画像を、表示のみ行う画像と蓄積も行う画像とに自動的に分類する画像記録装置を提供することを目的とする。
【課題を解決するための手段】
【０００９】
上記課題を解決するために、本発明の画像記録装置は、画像共有サーバから画像データを取得する画像データ取得手段と、前記画像データを蓄積する蓄積手段と、前記画像データを前記蓄積手段に蓄積するか否かの判断条件を入力する入力手段と、前記判断条件に基づいて、前記画像データを前記蓄積手段に蓄積すると判断した場合は、前記画像データを前記蓄積手段に蓄積し、前記画像データを前記蓄積手段に蓄積しないと判断した場合は、前記画像データを削除する制御手段と、を備える、ことを特徴とする。
【発明の効果】
【００１０】
本発明によれば、画像共有サーバにある画像データのうち必要なものを自動的に選択し、画像記録装置へ蓄積することが可能となる。
【図面の簡単な説明】
【００１１】
【図１】画像共有システムの構成図
【図２】本発明の一実施の形態を示す画像記録装置のブロック図
【図３】画像共有サーバのブロック図
【図４】本発明の一実施の形態を示す画像記録装置の初期設定のフローチャート
【図５】本発明の一実施の形態を示す画像記録装置のネットワークへの接続動作のフローチャート
【発明を実施するための形態】
【００１２】
（実施の形態）
〔１−１．概要〕
本発明の一実施の形態を図１〜５を用いて説明する。
【００１３】
〔１−２．構成〕
〔１−２−１．画像共有システムの構成〕
図１は、画像共有システムのシステム構成図である。本画像共有システムは、画像記録装置１００と画像共有サーバ４００及び画像記録装置１００と画像共有サーバ４００を接続するネットワークとから構成される。画像記録装置１００と画像共有サーバ４００を接続するネットワークは、インタネットや電話網など、画像データのやりとりが行える通信手段であれば何を用いても良い。
【００１４】
〔１−２−２．画像記録装置の構成〕
画像記録装置１００の電気的構成について図２を用いて説明する。図２は、画像記録装置１００の構成を示すブロック図である。画像記録装置１００は、外部メモリ１０６に蓄積する画像データや、通信モジュール１０５を介して取得した画像データを表示モニタ１０１に表示できる。以下、画像記録装置１００の構成を詳細に説明する。
【００１５】
コントローラ１０３は、画像記録装置１００全体を制御する。コントローラ１０３は、半導体素子などで実現可能である。コントローラ１０３は、ハードウェアのみで構成しても良いし、ハードウェアとソフトウェアとを組み合わせることにより実現しても良い。コントローラ１０３は、マイコンなどで実現できる。コントローラ１０３は、内部メモリ１０４に記憶されている制御プログラム、若しくはネットワークを介して画像共有サーバ４００から取得した制御プログラムに基づいて、画像記録装置１００全体を制御する。
【００１６】
内部メモリ１０４は、フラッシュメモリや強誘電体メモリなどで構成される。内部メモリ１０４は、画像記録装置１００全体を制御するための制御プログラムなどを記憶している。さらに、内部メモリ１０４は、通信モジュール１０５を介して画像共有サーバ４００より取得した画像データを蓄積する機能を保有しても良い。
【００１７】
表示モニタ１０１は、コントローラ１０３で各種画像処理を施された映像信号が示す映像や、内部メモリ１０４または外部メモリ１０６に記憶されている画像データが示す画像や、通信モジュール１０５を介して画像共有サーバ４００から取得した画像データが示す画像を表示できる。表示モニタ１０１は、液晶ディスプレイや有機ＥＬディスプレイなどで実現可能である。
【００１８】
操作部材１０２は、使用者からの操作を受け付けるユーザインタフェースの総称である。例えば、使用者からの操作を受け付ける電源スイッチや各種設定を行う設定スイッチ、設定ダイヤルなどがこれにあたる。
【００１９】
通信モジュール１０５は、画像共有サーバ４００との通信を実現するための通信手段である。通信モジュール１０５は、モジュール化されている場合が多いが、コントローラ１０３の一部として構成しても良い。画像記録装置１００は、通信モジュール１０５により接続されたネットワークを介して、画像共有サーバ４００と各種通信を行う。例えば、画像記録装置１００は、ＦＴＴＨやＡＤＳＬ回線あるいは無線ＬＡＮや携帯電話網を用いて、インタネットへ接続し、画像共有サーバ４００と通信を行い、画像共有サーバ４００のＨＤＤ４０３に保存されている画像データを取得することができる。画像記録装置１００は、画像共有サーバ４００から取得した画像データを内部メモリ１０４や外部メモリ１０６へ記憶できる。
【００２０】
外部メモリ１０６は、メモリカードや光ディスクなどの交換可能な記憶媒体である。
【００２１】
〔１−２−３．画像共有サーバの構成〕
画像共有サーバ４００の電気的構成について図３を用いて説明する。図３は、画像共有サーバ４００の構成を示すブロック図である。画像共有サーバ４００は、ＨＤＤ４０３に蓄積する画像データを、通信モジュール４０４を介して、画像記録装置１００へ送信することができる。以下、画像共有サーバ４００の構成を詳細に説明する。
【００２２】
コントローラ４０１は、画像共有サーバ４００全体を制御する。コントローラ４０１は、半導体素子などで実現可能である。コントローラ４０１は、大量の通信を高速に処理するために、通常、処理能力の高いプロセッサによって実現される。コントローラ４０１は、ＨＤＤ４０３に記憶されている制御プログラムを内部メモリ４０２に展開し、これに基づいて、画像共有サーバ４００全体を制御する。
【００２３】
内部メモリ４０２は、ＳＤＲＡＭなどの高速のメモリで構成される。内部メモリ４０２は、画像共有サーバ４００全体を制御するための制御プログラムなどを一時記憶している。
【００２４】
ＨＤＤ４０３は、複数の磁気記録円板を内蔵し、数百ギガバイトから数テラバイトの記憶容量をもつ。ＨＤＤ４０３は、コントローラ４０１の制御プログラム及び画像データを記憶している。
【００２５】
通信モジュール４０４は、画像記録装置１００との通信を実現するための通信手段である。通信モジュール４０４は、モジュール化されている場合が多い。通信モジュール４０４は、通常、ギガビット・イーサネット(登録商標)などの高速のインタフェースによりネットワークに接続する。画像共有サーバ４００は、通信モジュール４０４により接続されたネットワークを介して、画像記録装置１００と各種通信を行う。
【００２６】
〔１−３．動作〕
本実施の形態にかかる画像記録装置１００及び画像共有サーバ４００による画像データ共有動作について説明する。
【００２７】
〔１−３−１．画像記録装置の初期設定〕
画像記録装置１００の初期設定に関して、図４を用いて説明する。図４は、本発明の一実施の形態を示す画像記録装置１００の初期設定のフローチャートである。使用者は、画像記録装置１００の操作部材１０２を操作することにより、画像共有サーバ４００の設定をすることができる（Ｓ５０２）。また、使用者は、画像記録装置１００の操作部材１０２を操作することにより、画像取得先の設定をすることができる（Ｓ５０３）。さらに、使用者は、画像記録装置１００の操作部材１０２を操作することにより、蓄積画像の条件設定をすることができる（Ｓ５０４）。
【００２８】
画像共有サーバ４００の設定とは、画像記録装置１００が接続する画像共有サーバ４００の特定と接続のためのＩＤ、パスワードの設定である。接続する画像共有サーバ４００は、ＵＲＬまたはＩＰアドレスで特定する。内部メモリ１０４には、接続する画像共有サーバ４００のＵＲＬまたはＩＰアドレスが記憶されるので、二回目以降は、接続する画像共有サーバ４００を選択するだけで良い。画像共有サーバ４００に接続するためのＩＤ、パスワードも内部メモリ１０４に記憶されるので、二回目以降は、接続する画像共有サーバ４００を選択するだけで、画像共有サーバ４００に接続することができる。
【００２９】
画像取得先の設定とは、画像共有サーバ４００に記憶されたアルバムの特定とそのアルバムにアクセスするためのＩＤ、パスワードの設定である。アルバムは、アルバム名で特定する。特定されたアルバムがアクセス者を制限していない場合、ＩＤ、パスワードは不要である。特定されたアルバムがアクセス者を制限している場合、特定されたアルバムにアクセスするためのＩＤ、パスワードが必要である。内部メモリ１０４には、アルバム名と必要なＩＤ、パスワードが記憶されるので、二回目以降は、アルバムを選択するだけで、アルバムにアクセスすることができる。
【００３０】
ここで、蓄積画像の条件設定に関して説明する。蓄積画像の条件とは、画像共有サーバ４００から取得した画像データのうち、外部メモリ１０６へ記憶すべき画像データを選択するための条件である。使用者が設定する蓄積画像の条件には、以下のようなものがあげられる。画像共有サーバ４００へ画像データをアップロードしたアップロード者のＩＤに基づく画像データの指定、画像共有サーバ４００から取得した画像データのうち特定の人物を含む画像データの指定、デジタルスチルカメラなどで撮影した際に画像データ中に保存される撮影日時情報や撮影の場所情報に基づく画像データの指定、人物や風景などの画像データの種別情報に基づく画像データの指定、特定のモニュメントを含む画像データの指定などがある。
【００３１】
画像共有サーバ４００へ画像データをアップロードしたアップロード者のＩＤは、画像データと対応付けてアルバムに記憶されているので、画像データを取得するときに、アップロード者のＩＤも画像データと対応付けて取得しておく。また、アップロード者のＩＤが画像データ中に保存されている場合は、画像データを取得することによってアップロード者のＩＤを知ることができる。
【００３２】
画像記録装置１００は、内部メモリ１０４に特定の人物の特徴情報を記憶することができる。特定の人物の特徴情報は、コントローラ１０３が外部メモリ１０６に記憶された画像データを解析して抽出する。コントローラ１０３は、画像共有サーバ４００から取得した画像データを解析し、内部メモリ１０４に記憶された特定の人物の特徴情報と類似した特徴情報をもつ人物を含む画像データを検索することができる。
【００３３】
デジタルスチルカメラなどで撮影された画像データには、撮影日時情報が含まれる。また、デジタルスチルカメラなどがＧＰＳを搭載している場合には、画像データに撮影場所情報も含まれる。これらの情報は、通常、画像データのヘッダ部に記録される。コントローラ１０３は、画像データのヘッダ部を解析することによって、画像データの撮影日時情報や撮影場所情報を得ることができる。撮影場所情報は、緯度、経度で表わされる場合が多いが、デジタルスチルカメラなどがＧＰＳから得た緯度、経度を用いて対応する国名、地域名、都市名などを画像データのヘッダ部に記録することもできる。したがって、撮影場所情報は、緯度、経度の場合もあれば、国名、地域名、都市名などの場合も考えられる。画像データのヘッダ部には、撮影に用いられたデジタルスチルカメラなどのメーカ名や機種名など、その他の情報も記録されるので、それらの情報に基づいて画像データの指定をすることもできる。
【００３４】
人物や風景などの画像データの種別情報も画像データのヘッダ部に記録される。デジタルスチルカメラなどの撮像装置は、人物モード、風景モード、夜景モードなどのプリセットされた撮影モードを備えることが多い。このようなデジタルスチルカメラなどにおいては、画像データを生成したときの撮影モードが画像データのヘッダ部に記録される。一方、デジタルスチルカメラなどにおいては、撮影シーンを判別し撮影モードを自動的に決定するものも普及し始めている。このようなデジタルスチルカメラなどが採用する撮影シーンの判別機能を用いれば、画像データのヘッダ部に撮影モードが記録されていなくても、画像共有サーバ４００から取得した画像データを解析して撮影シーンを判別することができる。画像データのヘッダ部に記録された撮影モードや画像共有サーバ４００から取得した画像データを解析して判別した撮影シーンは、人物や風景などの画像データの種別情報となる。
【００３５】
画像記録装置１００は、内部メモリ１０４に特定のモニュメント、例えば、富士山や東京タワーなどの画像情報を記憶することができる。モニュメントは、ランドマークと言い換えることもできる。操作部材１０２を操作して、外部メモリ１０６に記憶された画像データの中から特定のモニュメントを切り出すことによって、画像情報を作成する。コントローラ１０２は、画像共有サーバ４００から取得した画像データに対して内部メモリ１０４に記憶された画像情報のマッチングを行なう。このようにして、画像共有サーバ４００から取得した画像データの中から特定のモニュメントを含む画像データを検索することができる。画像情報を外部メモリ１０６に記憶された画像データそのものとすれば、画像共有サーバ４００から取得した画像データの中から外部メモリ１０６に記憶された画像データと類似する画像データを検索することができる。
【００３６】
〔１−３−２．画像記録装置のネットワークへの接続動作〕
画像記録装置１００のネットワークへの接続動作に関して、図５を用いて説明する。図５は、本発明の一実施の形態を示す画像記録装置１００のネットワークへの接続動作のフローチャートである。使用者は、図４に示す画像記録装置１００の初期設定完了後、ネットワークに画像記録装置１００を接続する。画像記録装置１００がネットワークへ接続されると、コントローラ１０３は、通信モジュール１０５を介して、ネットワーク上からＩＰアドレスを取得する（Ｓ６０２）。画像記録装置１００は、あらかじめ設定されている画像共有サーバ４００の設定を基に画像共有サーバへの接続を行う（Ｓ６０３）。なお、本実施の形態では、ネットワーク上からＩＰアドレスの取得を行ったが、画像記録装置１００の操作部材１０２を用いて、あらかじめＩＰアドレスの設定を行っておいても良い。
【００３７】
〔１−３−３．画像データのダウンロードと表示〕
画像記録装置１００は、画像共有サーバ４００との接続を完了すると、あらかじめ設定されている画像取得先の設定を基に画像共有サーバ４００上の特定されたアルバムから画像データの取得を行う（Ｓ６０４、Ｓ６０５）。画像記録装置１００は、まず、画像共有サーバ４００上の特定されたアルバムに含まれる画像データを送信するように画像共有サーバ４００に要求する（Ｓ６０４）。画像共有サーバ４００は、要求を受けて特定されたアルバムに含まれる画像データを画像記録装置１００に送信する。画像記録装置１００は、画像共有サーバ４００上の特定されたアルバムから画像データを取得すると（Ｓ６０５）、画像記録装置１００の表示モニタ１０１を用いて取得した画像データが示す画像の表示を行う（Ｓ６０６）。
【００３８】
〔１−３−４．画像のダウンロードと蓄積〕
画像記録装置１００は、画像共有サーバ４００から取得した画像データが示す画像を表示モニタ１０１に表示後、画像記録装置１００のコントローラ１０３により、取得した画像データの解析を行う（Ｓ６０７）。コントローラ１０３は、取得した画像データの解析結果により、あらかじめ設定されている蓄積画像の条件設定に基づき、蓄積すべき画像データであるか判断する（Ｓ６０８）。取得した画像データが蓄積すべき画像データであると判断した場合、取得した画像データを内部メモリ１０４または外部メモリ１０６へ蓄積する（Ｓ６０９）。
【００３９】
なお、画像記録装置１００は、画像共有サーバ４００に対する画像データの送信要求において（Ｓ６０４）、画像データ本体ではなく、画像データのサムネイルデータを送信するように要求しても良い。画像共有サーバ４００は、要求を受けて特定されたアルバムに含まれる画像データのサムネイルデータを画像記録装置１００に送信する。画像データのサムネイルデータの画素数は、画像データ本体の画素数よりも少ないから、取得に要する時間を短縮することができる（Ｓ６０５）。また、表示モニタ１０１の画素数は、画像データ本体の画素数よりも少ないことが多い。したがって、画像データ本体の示す画像を表示モニタ１０１に表示する場合は、画像データを間引いて表示モニタ１０１に表示しなければならないが、画像データのサムネイルデータの示す画像を表示モニタ１０１に表示する場合は、間引き処理が不要になるので、表示に要する時間を短縮することができる（Ｓ６０６）。画像データのサムネイルデータの解析によって（Ｓ６０７）、画像データのサムネイルデータに対応する画像データ本体が蓄積すべき画像データであると判断した場合（Ｓ６０８）、画像記録装置１００は、画像データのサムネイルデータに対応する画像データ本体を送信するように画像共有サーバ４００に要求する。画像共有サーバ４００は、あらためて画像データのサムネイルデータに対応する画像データ本体を画像記録装置１００に送信する。画像記録装置１００は、取得した画像データを内部メモリ１０４または外部メモリ１０６へ蓄積する（Ｓ６０９）。
【００４０】
一方、取得した画像データが蓄積すべき画像データでないと判断した場合、取得した画像データを削除して、画像共有サーバ４００へ次の画像データの送信要求を行なう（Ｓ６０４）。なお、本実施の形態では、画像データを取得するごとに、蓄積すべき画像データであるかの判断を行なったが、必ずしも、画像データの取得と蓄積すべき画像データであるかの判断を順次行なう必要はない。例えば、特定されたアルバムに含まれる画像データを全て取得してから蓄積すべき画像データであるかの判断を行なっても良いし、画像データの取得と蓄積すべき画像データであるかの判断を並行して行なっても良い。
【００４１】
なお、取得した画像データの示す画像を表示モニタ１０１に表示し、蓄積すべき画像データであるかの判断が完了した時点で、表示モニタ１０１に表示された画像データの示す画像に重畳させて「蓄積します。」または「蓄積しません。」というメッセージを表示させても良い。このとき、使用者が操作部材１０２を操作するのを待って、画像共有サーバ４００へ次の画像データの送信要求を行なうようにしても良い。これによって、使用者は、画像共有サーバ４００から取得した画像データの示す画像を表示モニタ１０１によって仔細に確認することができる。また、コントローラ１０３による蓄積すべき画像データであるかの判断が誤っている場合には、操作部材１０２を操作することによって、この判断を訂正することができるようにしても良い。
【００４２】
さらに、使用者が、画像データの示す画像の表示モニタ１０１への表示を不要と判断したときは、操作部材１０２を用いて、画像データの示す画像を表示モニタ１０１へ表示させないようにすることができるようにしても良い。これによって、画像記録装置１００を駆動するバッテリの消耗を抑制することができる。また、特定されたアルバムに多数の画像データが含まれる場合は、例えば、夜間に蓄積すべき画像データの蓄積を行なっておいてほしいという要求もあろう。そのような場合は、表示モニタ１０１への表示は不要である。
【００４３】
ここで、蓄積すべき画像データの判断例のいくつかを説明する。前述のように、画像記録装置１００には、あらかじめ蓄積画像の条件設定がなされているとする。
【００４４】
まず、画像記録装置１００に設定されている蓄積画像の条件が、画像共有サーバ４００へ画像データをアップロードしたアップロード者のＩＤである場合について説明する。画像取得先の設定は、画像共有サーバ４００上の動物の写真に関するアクセス者を制限しないアルバムに設定されている。したがって、特定されたアルバムにアクセスするためのＩＤとパスワードは不要である。画像記録装置１００は、特定されたアルバムに含まれる動物の写真の画像データを順に取得し、取得した画像データの示す画像を表示モニタ１０１に表示している。使用者は、特定されたアルバムに含まれる動物の写真の画像データのうち、お気に入りの撮影者の写真の画像データのみを蓄積したい。使用者は、お気に入りの撮影者のＩＤを蓄積画像の条件として画像記録装置１００に設定しておくことで、画像記録装置１００は、自動的にその撮影者の写真の画像データのみを内部メモリ１０４または外部メモリ１０６へ蓄積する。
【００４５】
なお、本実施の形態では、画像共有サーバ４００へ画像データをアップロードしたアップロード者のＩＤで判断したが、アップロード者のハンドルネームやニックネームなどを用いても同様に可能である。ここでは、撮影者とアップロード者が同一の人物であることを前提としている。しかし、撮影者とアップロード者が別人であっても、撮影者のＩＤ、ハンドルネーム、ニックネームなどが画像データに対応付けられている場合は、お気に入りの撮影者の写真の画像データのみを蓄積することができることはいうまでもない。
【００４６】
次に、画像記録装置１００に設定されている蓄積画像の条件が、特定の人物を含む画像データである場合について説明する。画像取得先の設定は、画像共有サーバ４００上の特定のアップロード者である娘夫婦によるアクセス者を制限するアルバムに設定されている。娘夫婦の両親は、特定されたアルバムにアクセスするためのＩＤとパスワードを画像取得先の設定によって画像記録装置１００に設定している。画像記録装置１００は、特定されたアルバムに含まれる娘夫婦の写真の画像データを順に取得し、取得した画像データの示す画像を表示モニタ１０１に表示している。使用者である両親は、特定されたアルバムに含まれる娘夫婦の写真の画像データのうち、孫の写っている写真の画像データのみを蓄積したい。使用者である両親は、操作部材１０２によって外部メモリ１０６に記憶された孫の写っている写真の画像データを指定し、コントローラ１０３は、指定された画像データを解析して孫の顔の特徴情報を抽出し内部メモリ１０４に記憶する。コントローラ１０３は、画像共有サーバ４００から取得した画像データを解析し、内部メモリ１０４に記憶された孫の顔の特徴情報と類似した特徴情報をもつ人物を含む画像データを検索することができる。したがって、画像記録装置１００は、自動的に孫の写っている写真の画像データのみを内部メモリ１０４または外部メモリ１０６へ蓄積することができる。
【００４７】
同様に、撮影日時情報について、例えば、「２０１０年１月１日から２０１０年１月３１日」のように蓄積画像の条件として設定しておけば、２０１０年１月に撮影された画像データのみを内部メモリ１０４または外部メモリ１０６へ蓄積することができる。また、撮影場所情報について、例えば、「ドイツ」のように蓄積画像の条件として設定しておけば、ドイツにおいて撮影された画像データのみを内部メモリ１０４または外部メモリ１０６へ蓄積することができる。
【００４８】
なお、複数の蓄積画像の条件を組み合わせても、もちろん構わない。例えば、孫の写っている写真の画像データのうち２０１０年１月に撮影された画像データのみを蓄積することも可能である。
【００４９】
〔１−３−５．蓄積済みの画像データの示す画像の表示〕
画像記録装置１００は、画像共有サーバ４００から取得した画像データがすでに内部メモリ１０４または外部メモリ１０６へ蓄積済みの画像データであるとき、すでに蓄積済みであることを示すメッセージやアイコンを表示モニタ１０１に表示しても良い。これにより、使用者は、取得した画像データがすでに蓄積済みであることを知ることができる。
〔２．他の実施の形態〕
本実施の形態では、蓄積すべき画像データを内部メモリ１０４または外部メモリ１０６へ蓄積することとしたが、蓄積すべき画像データを外部メモリ１０６にのみ蓄積するようにしても、もちろん構わない。
【００５０】
本実施の形態では、画像共有サーバ４００は、インタネット上に存在することが前提であった。しかし、ネットワークは、必ずしもインタネットである必要はない。例えば、家庭内のネットワークを想定することもできる。このとき、画像共有サーバは、家庭内のネットワークに接続されたパーソナル・コンピュータであったり、ハード・ディスクを内蔵したＤＶＤレコーダであったりする。パーソナル・コンピュータやハード・ディスクを内蔵したＤＶＤレコーダは、大量の画像データを記録することができるので、その一部を本発明の画像記録装置、例えば、デジタルスチルカメラに蓄積して持ち出したいという要求が考えられる。このような用途のパーソナル・コンピュータは、ホーム・サーバとよばれることもある。
【００５１】
さらに、家庭内においては、パーソナル・コンピュータやハード・ディスクを内蔵したＤＶＤレコーダと本発明の画像記録装置、例えば、デジタルスチルカメラをネットワーク経由で接続しなくても良い。ＵＳＢやＨＤＭＩで接続してもよいし、無線ＬＡＮを用いるとしてもアドホックな接続で実現することもできる。
【産業上の利用可能性】
【００５２】
本発明は、例えば、デジタルスチルカメラ、デジタルビデオカメラなどの撮像装置からフォトフレーム、フォトビューワ、テレビ受像機などの表示装置にまで適用することができる。また、画像データの示す画像の表示をテレビ受像機などによって行なうことで、ＤＶＤレコーダ、ブルーレイディスクレコーダなどの記録装置にも適用することができる。さらに、ＰＤＡ、携帯電話などの携帯機器に本発明を適用することもできる。
【符号の説明】
【００５３】
１００    画像記録装置
１０１    表示モニタ
１０２    操作部材
１０３    コントローラ
１０４    内部メモリ
１０５    通信モジュール
１０６    外部メモリ
４００    画像共有サーバ
４０１    コントローラ
４０２    内部メモリ
４０３    ＨＤＤ
４０４    通信モジュール
【図１】
0005531671.tif 000002
【図２】
0005531671.tif 000003
【図３】
0005531671.tif 000004
【図４】
0005531671.tif 000005
【図５】
0005531671.tif 000006